(57)【要約】【課題】袖部を取り外し可能にし、取り外した袖部で履物とすることにより着用者の足を保護し、また、緊急避難具や非常食などをポケット類に収納した状態で保管したり持ち出したりすることが容易な上着を提供する。【解決手段】ジャケット本体１１に対して一対の袖部２０を着脱可能に取り付ける。各袖部２０の肘外側に対応する領域より袖付け部２０ａ側に第１の線状部材２３を袖回りに沿って絞り込み可能に設ける。袖部２０の袖口２０ｃ周辺部に、第２の線状部材を設ける。袖部２０をジャケット本体１１から取り外して、袖部のうち第１の線状部材２３より袖付け部側の端部を袖部内側に入り込ませて第１の線状部材で絞り込むことで袋状にし、履物として使用し得るようにし、第２の線状部材で足首に袖口２０ｃを密着させる。【選択図】図２
2006348458.tif 000002
【特許請求の範囲】
【請求項１】
上着本体に一対の袖部が脱着可能に取り付けられ、
上記袖部を上記上着本体から取り外し、該袖部の一方の端部開口を封鎖部材で封じ込んで該一方の端部内側で爪先を収容すると共に、該袖部の他方の端部を足首に装着することで、該袖部が足を保護し得ることを特徴とする、上着。
【請求項２】
上着本体と、該上着本体に袖付け部で脱着可能に取り付けられた一対の袖部と、を備えた上着であって、
上記袖部の肘外側に対応する領域より上記袖付け部側または袖口周辺部側に、第１の線状部材が袖回りに沿って絞り込み可能に設けられ、
上記袖部を上記上着本体から取り外し、上記第１の線状部材が絞り込まれることで爪先を収容し、該袖部が足を保護し得ることを特徴とする、上着。
【請求項３】
上着本体と、該上着本体に袖付け部で脱着可能に取り付けられた一対の袖部と、を備えた上着であって、
上記袖部の肘外側に対応する領域より上記袖付け部側に第１の線状部材が袖回りに沿って絞り込み可能に設けられ、
上記袖部を上記上着本体から取り外し、該袖部のうち上記第１の線状部材より袖付け部側の端部を袖部内側に入り込ませて該第１の線状部材で絞り込むことで該袖部を袋状にし、袖口から足を挿入することで該袖部が足を保護し得ることを特徴とする、上着。
【請求項４】
前記袖部の袖口周辺部に、袖回りに絞り込むための絞り込み部材または袖回りに伸縮する第２の線状部材が設けられ、
前記袖部に腕を通して着用する場合には、上記絞り込み部材または第２の線状部材で上記袖口周辺部を手首に密着させる一方、前記袖部を前記上着本体から取り外して足を保護する場合には上記絞り込み部材または第２の線状部材で上記袖口周辺部を足首に密着させることを特徴とする、請求項３に記載の上着。
【請求項５】
前記第１線状部材と袖口周辺部との間に、第３の線状部材が袖回りに絞り込み可能に設けられ、
前記袖部が前記上着本体から取り外されて足を保護する際に、上記第３の線状部材を絞り込んで該袖部を足の大きさに適合させることを特徴とする、請求項３に記載の上着。
【請求項６】
前記袖部が、その肘外側に対応する領域に補強部材を備え、
該袖部に腕を通して着用する際には、上記補強部材が肘当てとして機能し、該袖部が前記上着本体から取り外されて足を保護する際には、上記補強部材がソールとして機能することを特徴とする、請求項２又は３に記載の上着。
【請求項７】
上着本体と、該上着本体に袖付け部で脱着可能に取り付けられた一対の袖部と、を備えた上着であって、
上記袖部の袖口周辺部に第１の線状部材が袖回りに沿って絞り込み可能に設けられ、
上記袖部の袖付け部側に第２の線状部材が袖回りに沿って絞り込み可能に設けられ、
上記袖部を上記上着本体から取り外して上記第１の線状部材を絞り込んで該袖部を袋状にし、上記袖口周辺部が爪先を収容し、上記第２の線状部材を絞り込んで該袖部の袖付け部側を足首に密着させることで、該袖部で足を保護し得ることを特徴とする上着。
【請求項８】
前記上着本体の前身頃には一個以上のポケットが設けられると共に、前記上着本体の後身頃に収納袋が一体的に取り付けられており、
前記袖部を付けた上着本体が、ポケットに各種用具を収納した状態で折り畳まれ、上記収納袋内に格納され得ることを特徴とする、請求項１，２，３又は７に記載の上着。
【請求項９】
前記上着本体または前記袖部には、位置情報を検出する検出器が設けられていることを特徴とする、請求項８に記載の上着。
【請求項１０】
前記上着本体の前見頃と後見頃に設けた膨張可能なバッグと、該バックにガスを供給するボンベと、を備えたことを特徴とする、請求項１〜９の何れかに記載の上着。
【請求項１１】
前記ボンベを前記前身頃の外面に取り付けたフラップの裏側に配設したことを特徴とする、請求項１０に記載の上着。
【請求項１２】
前記上着本体に胴回りの大きさを調節するアジャスターを取り付けたことを特徴とする、請求項１〜１１の何れかに記載の上着。
【発明の詳細な説明】
【技術分野】
【０００１】
本発明は、袖部を取り外して靴や靴下として履くことで、路上の石などの障害物から足を保護することができ、さらに緊急避難用品や非常食などをポケットなどに収納して保管に適したバッグにもなる上着に関する。
【背景技術】
【０００２】
従来、地震などの災害時に、照明具やラジオなどの緊急避難具や非常食などを緊急避難袋に入れておき、この緊急避難袋を災害時に直ちに持ち出せるように所定の場所に置くことで災害に備えている。
このような緊急避難袋に代わるものとして、特許文献１及び２には、各種の緊急避難具や非常食などをそれぞれ収納することができるように大きさの異なるポケットを備えた非常用チョッキや災害時用多層ジャケットが開示されている。
一方、特許文献３〜５には、収納袋を一体に取り付けた雨具や上着などが開示されており、雨具や上着などが折り畳まれて収納袋に収納することで携帯し易くしている。
【特許文献１】実開平２−１４６１１２号公報
【特許文献２】実用新案登録第３０１７６９７号公報
【特許文献３】実開昭４９−１１９０７号公報
【特許文献４】実開昭５８−１２２１６号公報
【特許文献５】実開昭５９−６４９１３号公報
【発明の開示】
【発明が解決しようとする課題】
【０００３】
このような非常用チョッキの類は、緊急避難具や非常食をポケットに収納して予め決めた場所に置いておき、いざ地震や火災が発生すると、この非常用チョッキの類を意識的に持ち出すようにして、避難場所まで歩いて移動しなければならない。
ところが、余りに慌てて、また緊急避難用具などを持ち出すことに神経が向けられ、裸足で自宅などの建物からとび出すようなことがよく見受けられる。そのため、非常用チョッキの類の傍に、自分の履物を用意しておく必要がある。これでは、災害時などの非常時に非常用チョッキの類と自分の履物の二つの物を持ち出すことを意識しておく必要があり、また、家族の各人が自分用の非常用チョッキの類と自分の履物を持ち出すように配慮しなければならないことから、避難が迅速に行われ難くなる。
【０００４】
また、予め非常用チョッキのポケットにスリッパなどを収納しておくことも考えられるが、スリッパを収納するための専用ポケットをわざわざ設ける必要があるほか、スリッパを履いている場合には、その専用ポケットには何も収納されていないことになるので、非効率的である。
【０００５】
このような状況の下において、従来、ジャケットなどの上着の袖部を脱着可能に上着本体に取り付けておき、いざという時に、上着本体から袖部を取り外し、それを靴や靴下の代わりとして使用するという発想はなかった。
【０００６】
また、前述の非常用チョッキでは、ポケット内に種々の品物を収納した状態で、折り畳んで収納袋などに格納するようには構成されておらず、非常用チョッキを保管するためにハンガーなどに架けて吊るしておくことから、保管用スペースも必要となる。特に、家族の人数が多くなると、それだけのスペースを必要とする。
【０００７】
本発明は、以上の点に鑑み、袖部を取り外し可能にし、取り外した袖部で人の足を保護することができるようにし、さらには、緊急避難具や非常食などをポケット類に収納した状態で、保管したり持ち出したりすることが容易な上着を提供することを目的とする。
【課題を解決するための手段】
【０００８】
上記目的を達成するために、本発明は、上着本体に一対の袖部が脱着可能に取り付けられていて、袖部を上着本体から取り外し、袖部の一方の端部開口を封鎖部材で封じ込んで一方の端部内側で爪先を収容すると共に、袖部の他方の端部を足首に装着することで、袖部が足を保護し得ることを特徴とする。従って、上着の袖部を上着本体から取り外し、袖部の一方の端部開口を封鎖部材で封じ込み、袖部の他方の端部開口から足を挿入し、この他方の端部を足首に装着することで、袖部を靴や靴下として用いることができ、袖部で足を保護することができる。
【０００９】
また、本発明の上着は、上着本体に袖付け部で脱着可能に取り付けられた一対の袖部を備え、袖部の肘外側に対応する領域より袖付け部側または袖口周辺部側に、第１の線状部材が袖回りに沿って絞り込み可能に設けられていて、袖部を上着本体から取り外し、第１の線状部材が絞り込まれることで爪先を収容し、袖部で足を保護するようにしたことを特徴とする。これにより、上着の袖部を上着本体から取り外し、袖部に設けた第１の線状部材を袖回りに絞り込むことで袖部が袋状になり、これに足を挿入することで袖部を靴や靴下として用いることができる。
【００１０】
特に、上着本体と、上着本体に袖付け部で脱着可能に取り付けられた一対の袖部とを備え、袖部の肘外側に対応する領域より袖付け部側に第１の線状部材が袖回りに沿って絞り込み可能に設けられており、袖部を上着本体から取り外し、袖部のうち第１の線状部材より袖付け部側の端部を袖部内側に入り込ませて第１の線状部材で絞り込むことで袖部を袋状にし、袖口から足を挿入することで袖部で足を保護するようにしている。この構成によれば、上着本体から袖部を取り外し、袖部に設けた第１の線状部材を袖回りに絞り込むことで、上着本体のアームホール周辺部と脱着可能に接続される袖付け部側が封鎖されて袖部が袋状になり、袖口から足を挿入することで、爪先を露出させないで足を保護することができる。
【００１１】
この構成において、好ましくは、袖部の袖口周辺部に、袖回りに絞り込むための絞り込み部材または袖回りに伸縮する第２の線状部材が設けられており、袖部に腕を通して着用する場合には、この絞り込み部材または第２の線状部材で袖口周辺部を手首に密着させる一方、袖部を上着本体から取り外して足を保護する場合にはこの絞り込み部材または第２の線状部材で袖口周辺部を足首に密着させる。袖口周辺部に絞り込み部材または線状部材が設けられているので、上着本体から袖部を取り外して足に履いた際、これらの部材で足首に袖口周辺部を密着させることができる。
【００１２】
上記構成において、好ましくは、第１線状部材と袖口周辺部との間に、第３の線状部材が袖回りに絞り込み可能に設けられ、袖部が上着本体から取り外されて足を保護する際には、第３の線状部材を絞り込んで袖部を足の大きさに適合させる。このように、袖部に第３の線状部材が絞り込み可能に設けられていれば、上着本体から袖部を取り外して足に履いた際、この第３の線状部材を絞り込むことで袖部を足に確実に装着し、袖部を足にフィットさせることができる。よって、袖部内で足がずれることが少なくなり、歩行し易くなる。
【００１３】
好ましくは、袖部がその肘外側に対応する領域に補強部材を備え、袖部に腕を通して着用する際には補強部材が肘当てとして機能し、袖部が上着本体から取り外されて足を保護する際には補強部材がソールとして機能する。このように、袖部に補強部材が備えられていると、上着本体から袖部を取り外して袖部を履いた際、補強部材がソールとして機能するので、歩行が容易になるほか、足裏を外部の障害物から十分保護することができる。
【００１４】
また、本発明の上着は、上着本体に袖付け部で脱着可能に取り付けられた一対の袖部を備え、袖部の袖口周辺部に第１の線状部材が袖回りに沿って絞り込み可能に設けられ、袖部の袖付け部側に第２の線状部材が袖回りに沿って絞り込み可能に設けられ、袖部を上着本体から取り外して第１の線状部材を絞り込んで袖部を袋状にし、袖口周辺部が爪先を収容し、第２の線状部材を絞り込んで袖部の袖付け部側を足首に密着させることで、袖部で足を保護し得ることを特徴とする。この構成によれば、上着本体から袖部を取り外し、第１の線状部材を袖回りに絞り込むことで、上着本体の袖口が封鎖されて袖部が袋状になり、上着本体のアームホール周辺部と脱着可能に接続される袖付け部開口から足を挿入し、第２の線状部材を袖回りに絞り込むことで、袖部の袖付け部側を足首に密着することができる。
【００１５】
好ましくは、上着本体の前身頃には一個以上のポケットが設けられると共に、上着本体の後身頃に収納袋が一体的に取り付けられ、袖部を付けた上着本体が、ポケットに各種用具を収納した状態で折り畳まれ、収納袋内に格納され得る。この構成によれば、緊急避難用品や非常食などをポケットなどに収納した状態で、上着自体を折り畳んで収納袋に収納することで、バッグのようにすることができるので、保管したり持ち出し易くなる。好ましくは、上着本体または袖部には、位置情報を検出する検出器が設けられている。このように、上着に検出器が設けられていると、例えば検出器が位置情報を表示するタイプであれば着用者は表示された位置情報から現在地を確認することができ、検出器が位置情報を所定のセンターに送信するタイプであればセンターが受信した現在の位置情報から着用者の安否を確認したりすることができる。
さらに、本発明の上着において、好ましくは、前記上着本体の前見頃と後見頃に設けた膨張可能なバッグと、該バックにガスを供給するボンベと、を備えたことを特徴としている。さらに、前記ボンベが前記前身頃の外面に取り付けたフラップの裏側に配設されている。さらに、本発明の上着において、好ましくは、前記上着本体に胴回りの大きさを調節するアジャスターが取り付けられている。
【発明の効果】
【００１６】
本発明の上着は、上着本体に袖部を脱着可能に設けているので、足を保護する場合は、袖部を上着本体から取り外して、封鎖部材としての第１の線状部材で袖部の一方の開口を封鎖して袋状にすることができ、これを靴や靴下として用いることができる。よって、上着の一部を緊急避難的に靴や靴下として使用することで、足を保護することができる。また、本発明の上着は、備えられているポケットに緊急避難具や非常食を収納した状態で、上着に取り付けられた収納袋に上着を折り畳んで格納しておくことで、保管し易くまた持ち出し易くなる。
【発明を実施するための最良の形態】
【００１７】
以下、図面を参照して本発明を実施するための最良の形態を説明する。
図１は、本発明の最良の形態であるジャケット１０を示す概略図である。本発明の上着としてのジャケット１０は、図１に示すように、前身頃と後身頃とからなるジャケット本体１１と、ジャケット本体１１のアームホール周囲部に対して脱着可能に取り付けられた一対の袖部２０と、を備える。ここで、袖部２０の袖付け部２０ａ（図２参照）とジャケット本体１１のアームホール周囲部１１ａ（図３参照）とは、ファスナー２１や面ファスナー，ボタンなどで着脱可能に取り付けられている。以下の説明では、ファスナー２１で着脱可能に取り付けられている場合を説明するが、面ファスナーやボタンなどで着脱する場合においても同様に適用することができる。
【００１８】
一対の袖部２０は、それぞれジャケット１０から脱着して、後述するように、靴や靴下として使用することで足を保護することができる。ここで、靴、靴下の何れかとして使用するかは、使用者の置かれた状況や袖部２０を構成する布地の厚み、そこに取り付けられている肘当て用の補強部材２２や袖部２０に内包されているダウンなどのクッション材の有無及び量により適宜決定される。
【００１９】
次に、袖部２０の具体的な構成について詳細に説明する。
図２は図１に示したジャケット１０の右側の袖部２０を示し、（Ａ）は正面図、（Ｂ）は背面図、（Ｃ）は裏返しにした袖部２０の正面図、（Ｄ）は裏返しにした袖部２０の背面図である。図２に示すように、袖部２０の袖付け部２０ａには、ジャケット本体１１のアームホール周囲部１１ａに縫い付けたファスナーと係合するファスナー２１が縫い付けられている。袖部２０の肘外側に対応する領域に肘当て用に補強部材２２が設けられている。
【００２０】
ここで、袖部２０の肘側に対応する領域より袖付け部側に、封鎖部材としての第１の線状部材２３が袖回りに沿って絞り込み可能に設けられている。第１の線状部材２３としては、非伸縮性の紐やベルトの他、伸縮性のゴム紐などを挙げることができるが、特に非伸縮性の紐を用いるのが好ましい。これは、後述するように、袖部２０がジャケット本体１１から取り外されて第１の線状部材２３による袖回りの絞り込みで、袖付け部側の開口が封じ込まれ、袖付け部側の端部内側で爪先を収容するので、袖部２０を靴や靴下として使用する場合に爪先が露出しないようにするためである。
【００２１】
袖部２０に第１の線状部材２３を絞り込み可能に設けるため、図２（Ｃ）および（Ｄ）に示すように、袖部２０を構成する布地の裏面側に、袖回りに沿って帯体２４を袖回りに沿って左右縫い付けて、第１の線状部材２３を挿通するための装着部が形成されている。布地の裏面に帯体２４を左右縫い付けたのは、ジャケット１０の外側から見えないようにするためである。ここで、第１の線状部材２３には、袖回りに絞り込んだ状態を保持するようにストッパ２５が設けられている。そして、絞り込みを調整するために、図２（Ｃ）に示すように、袖部２０を裏返しにした状態で丁度上腕部の前外側で、第１の線状部材２３を一部引き出せるように、帯体２４には一対の調整口２４ａが設けられている。
【００２２】
また図２に示すように、袖口２０ｃの回りにゴム紐などの第２の線状部材（図示せず）が設けられており、袖口２０ｃを手首に密着させて袖口の位置を規制する。第２の線状部材の代わりに、袖口回りにベルトなどの絞り込み部材を設け、このベルトの先端に面ファスナーを取り付けておき、使用者がジャケット１０を着用した際に、このベルトを絞めて袖口に取り付けた面ファスナーと係合することで、袖口を手首に密着させるようにしてもよい。
【００２３】
また、袖部２０には、第１の線状部材２３と袖口周辺部との間に、第３の線状部材２６が、袖回りに絞り込み可能に設けられている。図２に示すように、袖部２０にその肘外側に対応する領域に肘当て用に補強部材２２が設けられている場合には、その補強部材２２の略中間を跨ぐように第３の線状部材２６を袖回りに沿って設ける。
ここで、第３の線状部材２６は、伸縮性のあるゴム紐を用いるのがよい。これは、後述するように、袖部２０を取り外して第１の線状部材２３による袖回りの絞り込みで袖付け部側の開口を封じ込んでその内側に爪先を収容して袖口を足首に装着した際に、第３の線状部材２６が丁度足の甲の位置に対応する。このとき、ゴム紐で袖部２０を絞り込むことで袖部２０を足のサイズに適合させることができ、袖部２０を足回りにフィットさせることができるためである。
【００２４】
なお、第３の線状部材２６を袖回りに絞り込み可能に設けるために、第１の線状部材２３を袖部２０に設けたように、図２（Ｃ）及び（Ｄ）に示すように、袖部２０を構成する布地の裏面側に、帯体２７を袖回りに沿って左右縫い付けて、第３の線状部材２６を挿通するための装着部が形成されている。布地の裏面に帯体２７を左右縫い付けたのは、ジャケット１０の外側から見えないようにするためである。ここで、第３の線状部材２６には、袖回りに絞り込んだ状態を保持するようにストッパ２８が設けられている。また、絞り込みを調整するために、図２（Ａ）に示すように、袖部２０の正面側で丁度上腕部の前側において、袖部２０から第３の線状部材２６を手前に一部引き出せるように、袖部２０には一対の調整口２０ｂが設けられている。
【００２５】
このように、図２に示したジャケット１０の袖部２０は、ジャケット本体１１から袖部２０を取り外しできるようにし、各袖部２０には、袖付け部２０ａ側の開口を封じるために、第１の線状部材２３が袖回りに沿って絞り込み可能に設けられている。そして、好ましくは、袖部２０を足回りにフィットさせることができるように、第１の線状部材２３と袖口周辺部との間に、第３の線状部材２６が袖回りに絞り込み可能に設けられている。
【００２６】
さらに、本発明の好ましい形態においては、ジャケット１０の各ポケットに緊急避難具や非常食を収納した状態で、所謂ウエストバッグの形状にして保管し易くされる。
図３は、図１のジャケット１０のジャケット本体１１を示し、（Ａ）は正面図、（Ｂ）は側面図、（Ｃ）は背面図である。ジャケット本体１１は、図３に示すように、所謂ベスト状に構成されて、図３（Ａ）に示すように、その前側に複数個のポケット１２、即ちポケット１２ａ，１２ｂ，１２ｃ，１２ｄ，１２ｅ，１２ｆを備えており、また図３（Ｂ）及び（Ｃ）に示すように、後側に一体的に取り付けられた収納袋１３を備えている。
【００２７】
各ポケット１２は、それぞれ例えば緊急避難用品や非常食などを収納する。緊急避難用具としては、ポケットラジオ、照明具、常備薬、軍手、手ぬぐい等を挙げることができ、２、３日の飲料水を含めた非常食を収納しておく。また、ポケット１２の形状は収納される物品の形状に合わせて構成されており、図３に示した場合では、ポケット１２ｅには携帯型ランプを収納し、ポケット１２ｆには携帯電話機を収納することができるようになっている。
また、図示を省略するが、ジャケット本体１１には、ＧＰＳ（Ｇｌｏｂａｌ  Ｐｏｓｉｔｉｏｎｉｎｇ  Ｓｙｓｔｅｍｓ）衛星からの信号を受信するなどして、位置情報を検出する検出器が設けられている。そのために、例えばジャケット本体１１の裏ポケットに並ぶように検出器収納部が設けられている。検出器としては、例えば検出器に備えられている表示部に位置情報を地図で表示するタイプや、所定の管理センターにその位置情報を所定間隔で送信するタイプなどを挙げることができる。
【００２８】
一方、収納袋１３は、ジャケット本体１１の後側、即ち後身頃の腰部付近に縫い付けられて、ジャケット本体１１と一体になっている。収納袋１３は、ジャケット本体１１に縫い付けられる他、面ファスナーやファスナーによりジャケット本体１１に着脱可能に取り付けられていてもよい。収納袋１３は、少なくとも使用者がジャケット１１を装着している際には、図３に示すように、収納袋１３自体は折り畳まれた状態でジャケット本体１１の後身頃に配置した２本の固定用ベルト１５で保持され、使用者にとって邪魔にならないようになっている。
【００２９】
例えば、各固定用ベルト１５の一端部はジャケット本体１１に縫い付けられており、その他端部には面ファスナー１５ａが設けられている。また、ジャケット本体１１の後身頃には、各固定用ベルト１５の他端部が到達する所定位置に、面ファスナー１５ｂが設けられている。よって、図３（Ｂ）及び（Ｃ）に示すように、折り畳んだ収納袋１３の上から各固定用ベルト１５を縦断させ、各固定用ベルト１５の他端部の面ファスナー１５ａと面ファスナー１５ｂとを係合させ、折り畳んだ収納袋１３をジャケット本体１１に保持させることができる。
【００３０】
図４は、図３の収納袋１３を展開して裏返しにした状態を示した概略図で、（Ａ）は平面図、（Ｂ）は底面図である。図では、ジャケット本体１１は省略してある。収納袋１３は、図４に示したように、表側の２枚の布地１３ａと裏側の１枚の布地１３ｂとを重ね、それらの周囲を縫い合わせることで袋状にしてなり、表側の布地１３ａ同士を面ファスナー１３ｃで係合させることで、収納袋１３の取出口を閉めることができるようになっている。ここで、面ファスナー１３ｃの代わりにファスナーなどを用いてもよい。また、収納袋１３ｃの大きさは、単に各袖部２０を付けた状態でジャケット本体１１を折り畳んで格納することができるだけでなく、ジャケット本体１１の各ポケット１２に各種の緊急避難用具や非常食品を収納した状態でジャケット本体１１を折り畳んで格納することができるように、選定されている。
【００３１】
また、収納袋１３は、図４に示すように、袋状にした状態で、その両端部に装着用ベルト１４の端部が縫い付けられ、装着用ベルト１４の先端部にそれぞれ雄雌の各バックル１４ａ，１４ｂが設けられている。このように、収納袋１３に装着用ベルト１４が設けられていることにより、各ポケット１２に各種の緊急避難具や非常食などを収納した状態で、ジャケット１０を折り畳んで格納した収納袋１３は、所謂ウエストバッグのように使用者の腰に装着することができたり、肩に掛けたりすることができる。
なお、図３に示すように、ジャケット本体１１には、その胴回りの大きさを調整することができるようにアジャスター１６が設けられている。
【００３２】
次に、ジャケット１０の好ましい使用形態について説明する。
ジャケット１０は緊急避難時に対処することができるように、常時にあっては、図１に示した状態で各ポケット１２にそれぞれ各種緊急避難具や非常食などを収納し、次に説明する手順に従って所謂ウエストバッグの状態にして、所定の保管場所に置いておく。
図５は、図１のジャケット１０を着用できる状態からウエストバッグの状態にする手順を示した図である。図では、左右の袖部２０は省略してある。
先ず、ジャケット１０は衣服として装着可能な状態から、図５（Ａ）に示すように、各固定用ベルト１５の面ファスナー１５ａ，１５ｂの係合が解かれる。次に、図５（Ａ）に矢印Ａで示すように上下方向に収納袋１３を展開する。この状態を示したのが、図５（Ｂ）である。続いて、図５（Ｂ）に矢印Ｂで示すように左右方向に収納袋１３を展開する。この状態を示したのが、図５（Ｃ）である。そして、ジャケット１０を折り畳み、収納袋１３がジャケット１０を包囲するように裏返して、収納袋１３内にジャケット１０を格納する。この状態を示したのが、図５（Ｄ）であり、各布地１３ａ，１３ｂの内面が外側に露出した状態で、ジャケット１０を格納し、収納袋１３の内側に配置されている装着用ベルト１４が外側の両端に露出する。これにより、ジャケット１０を格納した収納袋１３を、例えば、所謂ウエストバッグとすることができる。よって、ジャケット１０は、各種の緊急非難具や非常食などを収納した状態で、小型に纒められるので、少ない占有スペースで容易に保管することができる。
【００３３】
このように、ウエストバッグにした状態で所定の場所に置いて保管しておき、いざという時持ち出して、一旦非難して安全性を確保した状態で、逆の手順に従って、収納袋１３から取り出してジャケットとして着用することができる。即ち、図５（Ｄ）に示したウエストバッグの状態で保管場所から持ち出す。そして、図５に示した逆の手順で、収納袋１３を開いて収納袋１３からジャケット１０を取り出してジャケット１０を展開した後に、収納袋１３を裏返して左右および上下にそれぞれ折り畳んで固定用ベルト１５でジャケット１０に保持させる。この状態で、使用者はジャケット１０を着用することができる。
【００３４】
さらに、ジャケット１０から両袖部２０を取り外して、次に説明する手順に従って各袖部２０を使用者の足に履くことで、足を寒さや歩行の際の石やガラスなどの障害物から保護することができる。
図６は、図１のジャケット１０から左側の袖部２０を取り外し、袖部２０を靴または靴下として足１００に装着する手順を示した図である。
【００３５】
先ず、ジャケット本体１１から左側の袖部２０を取り外す。取り外した袖部２０を示したのが図６（Ａ）および（Ｂ）である。（Ａ）は袖部２０の前側、（Ｂ）は袖部２０の後側を示している。
【００３６】
次に、取り外した袖部２０を裏返しにする。即ち、例えば袖付け部２０ａ側の開口から手を入れて袖口２０ｃを掴んで袖口２０ｃを袖付け部２０ａから引き出すようにして裏返す。すると、図６（Ｃ）に示すように、第１の線状部材２３やこれに設けたストッパ２５が露出する。なお、図６（Ｃ）は裏返した袖部２０の前側を示している。
【００３７】
引き続き、この裏返しにした状態で第１の線状部材２３を、図６（Ｄ）に示すように略完全に絞り込んで、ストッパ２５にその絞り込み状態を保持させる。これにより、爪先を収容する領域を確保することができる。余分な第１の線状部材２３は適宜結んでおくことが好ましい。
【００３８】
そして、図６（Ｄ）の状態から、袖部２０の袖口２０ｃを広げて、絞り込まれた部分（図６（Ｄ）のＣの部分）を袖口から引き出すようにして、再び裏返しにする。すると、図６（Ｅ）に示すように、肘当てとなる補強部材２２が外側に露出して、靴や靴下として使用することができる状態になる。
【００３９】
以上のようにして、袖部２０を靴または靴下として使用することができるので、使用者は、図６（Ｅ）に示した状態の袖口２０ｃから足１００を挿入する。このとき、図６（Ｆ）に示すように、足１００の爪先に対応する袖部２０の端部は第１の線状部材２３で略完全に絞り込まれているので、爪先が袖部２０の袖付け部２０ａ側から突き出ることはなく、爪先を収容することができる。そして、図６（Ｇ）に示すように、第３の線状部材２６としてのゴム紐を絞り込み、ストッパ２８で絞り込み状態を保持させる。これにより、第３の線状部材２６で使用者の足１００の甲に確実に保持する。このとき、使用者の足１００の足首に各袖部２０の袖口２０ｃが第２の線状部材で密着するので、袖部２０でなる靴または靴下が足１００にフィットする。
【００４０】
以上により、使用者は、各袖部２０をそれぞれ足１００に装着して、靴や靴下として使用することができる。その際、各袖部２０の補強部材２２が使用者の足１００の足裏に対応することにより、ソール、つまり、靴底や靴下の底の機能を果たす。特に、補強部材２２に皮のような布地を用いないで、成形素材を用いてヒンジ部と一体として補強部材２２を成形した場合、つまり、補強部材２２にインテグラルヒンジを備えた場合には、靴底としての厚みも確保することができる。またこの場合には、袖部２０に腕を通してジャケット１０を着用した場合でも肘当ての部分が腕の関節と共に動くので、ジャケット１０の着用に支障がなくなる。これにより、例えば災害発生時に、室内や非難路等にガラス等の破片が散乱していたとしても、安全に歩行して避難することができる。また、袖部２０が補強部材２２を備えない場合であっても履くことで足１００を寒さから保護することができる。
【００４１】
以上説明したように、ジャケット１０から両袖部２０を取り外して、袖部２０の一方の開口例えば袖付け部２０ａ側の開口を、封鎖手段としての第１の線状部材で絞り込んで開口を封鎖し、袖口から爪先を挿入して収容するようにし、袖口に設けられている第２の線状部材としてのゴム紐で足首に密着することで、緊急時に足を保護することができる。
【００４２】
次に、袖部の別の形態について説明する。
図７は、図２とは異なる別の右側の袖部３０を示した図で、（Ａ）は正面図、（Ｂ）は背面図、（Ｃ）は裏返しにした袖部３０の正面図、（Ｄ）はその背面図である。図２と同一または対応する部材には同一の符号を付して説明を省略するが、補強部材２２については図７に示すように設ける方が好ましい。
図２と異なる第１の点は、第１の線状部材３６が袖口周囲近傍に、袖回りに沿って絞り込み可能に設けられていることである。この第１の線状部材３６は絞り込まれることで、袖部３０を靴や靴下として使用した際に、爪先が露出しないように封鎖部材として機能する。第２の点は、第２の線状部材３３が、袖部３０の袖付け部２０ａ側に袖回りに絞り込み可能に設けられていることである。この第２の線状部材３３は、袖部３０を靴や靴下として使用した際には、絞り込まれることで袖付け部２０ａ側の端部を足首に密着させることができる。
【００４３】
以下、袖部３０に対して第１の線状部材３６および第２の線状部材３３を袖回りに絞り込み可能に設ける方法について、好ましい形態を説明する。
袖部３０に第１の線状部材３６を絞り込み可能に設けるために、図７（Ｃ）および（Ｄ）に示すように、袖部３０を構成する布地の裏面側に、帯体３７が袖回りに沿って左右縫い付けられており、第１の線状部材３６を挿通するための装着部が形成されている。そして、第１の線状部材３６には、袖回りに絞り込んだ状態を保持するように、ストッパ３５が備えられている。また、絞り込みを調整するために、図７（Ａ）に示すように、袖部３０の前側で袖口周辺部外側において、第１の線状部材３６を一部引き出せるように、袖部３０で帯体３７に対応する箇所には一対の調整口３０ｂが設けられている。
【００４４】
他方、袖部３０には、肘部に対応する領域より袖付け部２０ａ側に第２の線状部材３３を袖回りに絞り込み可能に設けるため、図７（Ｃ）および（Ｄ）に示すように、袖部３０の布地の裏面側に、帯体３４が袖回りに沿って左右縫い付けられており、第２の線状部材３３を挿通するための装着部が形成されている。第２の線状部材３３には、袖回りに絞り込んだ状態を保持するように、ストッパ３５を備える。そして、絞り込みを調整するために、図７（Ａ）に示すように、袖部３０の前側で第２の線状部材３３を一部引き出せるように、袖部３０で帯体３４に対応する箇所には一対の調整口３０ｃが設けられている。ここで、第１の線状部材３６や第２の線状部材３３を引き出す位置は、図７では、何れも袖部３０を構成する布地の表面でかつ前側であるが、特に、この位置に限定されるものではない。
【００４５】
袖部３０を備えたジャケット１０は、図２に示した袖部２０を備えたジャケットと同様に着衣することができることに加え、袖部３０をジャケット本体１１から取り外して、以下説明するように靴や靴下として履くことで、足を保護することができる。
【００４６】
図８は、図７の袖部３０を靴や靴下として使用する状態を示した概略図である。ジャケット本体１１から取り外された袖部３０を靴や靴下として使用する際には、先ず、第１の糸部材３６としての紐を略完全に絞り込んで、ストッパ３８でその絞り込み状態を保持する。これにより、袖口２０ｃ端部内側に爪先を収容する部分を形成することができる。
次に、袖部３０の袖付け部２０ａから使用者の足１００を挿入する。このとき、足１００の爪先に対応する部分は、第１の線状部材３６としての紐により略完全に絞り込まれるので、爪先が袖部３０の袖口から突き出ることがない。
その後、第２の線状部材３３を絞り込んでストッパ３５でその絞り込み状態を保持することで、袖付け部２０ａ側端部を足首に密着させることができる。よって、図８に示すように、袖部３０の袖付け部２０ａ側を足首に纏わりつかせるようにすることができる。
また、図示は省略するが、図２に示した袖部２０のように第３の線状部材を設けて袖部３０を足の大きさに合わせて袖部３０を足にフィットさせるようにしてもよい。
【００４７】
以上説明したように、ジャケット１０はジャケット本体１１に取り外し可能に、好ましくは再度取り付け可能に、袖部２０，３０が取り付けられており、各袖部２０，３０に第１の線状部材２３，３６及び第２の線状部材３３を設けるという簡単な構成である。そして、必要に応じて袖部２０，３０をジャケット本体１１から取り外して靴や靴下として利用することで足１００を保護することができる。
また、ジャケット本体１１に設けた各ポケット１２に緊急避難具や非常食を収納した状態で、ジャケット本体１１に一体に構成された収納袋１３内に格納して、バッグの状態にすることができる。よって、地震や火事などの災害時には、このバッグ状態のままで持ち出して一時的に安全な場所に非難した後、袖部２０，３０をジャケット本体１１から取り外して靴として使用することで、足を保護することができる。
このとき、ジャケット本体１０や袖部２０，３０に、ＧＰＳ衛星からの信号を受信して現在の位置情報を検出する検出器が設けられていると、着用者などはその現在地情報を有効に利用することができる。例えば、検出器が、検出した位置情報を地図上に表示するタイプであれば、その表示された情報から着用者は自分の現在の位置を確認することができる。また、検出器が、安否情報確認センターのような管理センターに位置情報を所定の間隔で送信するタイプであれば、そのジャケット１０の着用者の家族は、管理センターに問い合わせることで、着用者の現在地や安否を確認したり、災害救助要請を迅速に行うことができる。
このようにジャケット１０が緊急避難用ジャケットとして利用される場合にあっては、難燃性や耐熱性の繊維素材で製作されることが好ましい。これにより、火災現場の傍を通過する際に、ビニール製などの燃えやすい繊維で製作されている場合と比べ、火の粉がジャケット１０に当たっても何ら変形せず、身体に悪影響を及ぼさないようにすることができる。特にフード付きのジャケット１０としておくことにより、頭部を的確に保護することができる。
【００４８】
次に、本発明の他の実施形態に係るジャケットを図９を参照しつつ説明する。
図９に示すジャケット１０Ａも、前述のジャケット１０と同様に、各袖部２０がジャケット１０Ａから脱着して靴又は靴下として使用することができて、足を保護し得るようになっている。また、各袖部２０はドルマンスリーブとして構成されており、アームホール周囲部１１ａ（図３参照）が通常の衣服と比べて１．５倍〜２倍程度大きく形成されている。そして、このアームホール周囲部１１ａの下に隣接して、胴回りの大きさを調整するアジャスター１６が設けられている。
【００４９】
さらに、このジャケット１０Ａにおいては、着用者が水中に入った場合に浮くことができるように構成されている点で、前述のジャケット１０と比べて構成が異なる。
このため、ジャケット１０Ａは、前身頃１１０Ａと後身頃１１０Ｂとからなるジャケット本体１１を構成する布地と、その布地の裏面に取り付けたメッシュ状のネット４１とによってエアバッグ収納用のポケットが画成され、このポケット内にバッグ４０が収容される。このバッグ４０はガスを供給されてポケット内で膨張する。また、後身頃１１０Ｂにおいては、着用者の頸椎に近接した位置にバッグ４０が設けられている。なお、前見頃１１０Ａと後見頃１１０Ｂに取り付けられるバッグ４０は、一体物であってもよいし、分割して複数のバッグを取り付けてもよい。ポケットとしてのメッシュ状のネット４１が、バッグ４０を収容するための開口（図示せず）を備えていれば、この開口から収縮状態のバッグ４０を容易にセットすることができる。このようなバッグ４０にガスを供給するボンベ５０はジャケット１１Ａの外面に取り付けたフラップ１１９で隠れるように配設されている。図９に示す例では、フラップ１１９を持ち上げて、ボンベ５０が露呈している状態を示している。
【００５０】
ボンベ５０には炭酸ガスが圧縮して封入されており、ガスの噴出を規制するロックに紐５１が結ばれている。この紐５１を引っ張ることでボンベ５０からバッグ４０内にガスが供給され、バッグ４０が瞬時に膨張する。
なお、前右身頃１１１（図９参照）と前左見頃１１２（図９参照）とは、ファスナー１１３で連結するようになっている。
【００５１】
このように構成されたジャケット１０Ａにおいて、バッグ４０にガスを供給する手順について説明する。
先ず、図１０に示すように、ジャケット１０Ａを着用し、胴回りの大きさを調整するアジャスター１６、即ち、マジックテープ（登録商標）などの面ファスナー１２０に係止しているアジャスター１６を外し、図１１に示すように、胴回りの締め付けをフリーにする。この状態で、紐５１を引っ張り、ボンベ５０からバッグ４０内にガスを供給してバッグ５０を膨張させる。そして、バッグ４０の膨張が終了した時点で、図１２に示すように、アジャスター１６を面ファスナー１２０に係止し、胴回りの大きさを調整する。なお、図示を省略するが、アジャスター１６にも面ファスナーが取り付けられ、これが、背中の面ファスナー１２０に係止するようになっている。
このように、バッグ４０を膨張させた状態で着用者が水中に入れば、バッグ４０が浮き袋として機能し、ジャケット１０Ａによって着用者は水中で浮くことができる。これにより、ジャケット１０Ａは、救命胴衣として活用することできる。
【００５２】
このように本発明の他の実施形態に係るジャケット１０Ａによれば、ボンベ５０からバッグ４０内にガスが供給されてバッグ４０が膨張しても、袖がドルマンスリーブとして構成されていることで、ジャケット１０Ａが着用者に無理な力を加えずに容易に膨張することができる。これに対して、袖がドルマンスリーブでない通常の型式の上着ではアームホール周囲部が小さいため、ジャケットに膨張するバッグを備えていても、膨張にともなうゆとりがジャケットにないためにジャケット自体が破れる虞がある。また、通常の上着にあってはバッグの膨張に対応していないため、着用者にバッグの膨張に伴う過大な荷重が作用する虞がある。
【００５３】
このように、本発明の他の実施形態に係るジャケット１０Ａにあっては、袖がドルマンスリーブとして構成されていると共に、胴回りをアジャスター１６によって調節できるように構成したことで、異なる体型の人が容易に着用できるフリーサイズとして形成されている。このように異なるサイズに適用できるように構成したことで、バッグの膨張に伴うジャケット自体の破損を防止できる。さらに、ジャケット自体が容易にバッグ４０の膨張に対応できるようにしているため、着用者にバッグ４０の膨張に伴って荷重が作用することを防止できる。
【００５４】
なお、本発明の他の実施形態に係るジャケット１０Ａにおいては、前右身頃１１１と前左見頃１１２とがファスナー１１３で連結可能であることから、前右身頃１１１と前左見頃１１２とをファスナーで連結している状態でバッグ４０を急激に膨張させても、前右身頃１１１と前左見頃１１２とが外れることを防止できる。
【００５５】
また、後見頃１１Ｂに取り付けられているバッグ４０が着用者の頸椎に近接した位置に配置されているため、バッグ４０が膨張した状態で水中に入ると、着用者は、前見頃１１Ａの裏面に設けたバッグ４０により体の前面が水面に浮き上がり、且つ頸椎をバッグ４０に載せた状態で水に浮くことができて、水中でも楽な姿勢を保つことができる。
【００５６】
以上の説明では、上着として前開きするジャケットを説明したが、上着本体に袖部を取り外しできるものであれば、前開きしないセーターのような衣服であっても同様に適用することができる。
【図面の簡単な説明】
【００５７】
【図１】本発明の一実施形態のジャケットを示す概略図である。
【図２】図１のジャケットの右側の袖部を示し、（Ａ）は正面図、（Ｂ）は背面図、（Ｃ）は裏返しにした袖部の正面図、（Ｄ）はその背面図である。
【図３】図１のジャケットのジャケット本体を示し、（Ａ）は正面図、（Ｂ）は側面図、（Ｃ）は背面図である。
【図４】図３の収納袋を展開して裏返しにした状態を示す概略図で、（Ａ）は平面図、（Ｂ）は底面図である。
【図５】図１のジャケットを着用できる状態からウエストバッグの状態にする手順を示す図である。
【図６】図１のジャケットから左側の袖部を取り外し、袖部を靴または靴下として足に装着する手順を示す図である。
【図７】図２とは異なる別の右側の袖部を示す図で、（Ａ）は正面図、（Ｂ）は背面図、（Ｃ）は裏返しにした袖部の正面図、（Ｄ）はその背面図である。
【図８】図７の袖部の靴や靴下としての使用する状態を示す概略図である。
【図９】本発明の他の実施形態に係るジャケットを示す概略図である。
【図１０】図９のジャケットの使用方法を説明するための図である。
【図１１】図９のジャケットの使用方法を説明するための図である。
【図１２】図９のジャケットの使用方法を説明するための図である。
【符号の説明】
【００５８】
１０，１０Ａ    ジャケット（上着）
１１    ジャケット本体（上着本体）
１１ａ  アームホール周囲部
１２（１２ａ〜１２ｆ）  ポケット
１３    収納袋
１３ａ，１３ｂ  布地
１３ｃ，１５ａ，１５ｂ  面ファスナー
１４    装着用ベルト
１４ａ，１４ｂ  バックル
１５    固定用ベルト
１６  アジャスター
２０，３０    袖部
２０ａ  袖付け部
２０ｂ  調整口
２０ｃ  袖口
２１  ファスナー
２２    補強部材
２３，３６    第１の線状部材（封鎖部材）
２４，２７，３４，３７  帯体
２４ａ，３０ｂ，３０ｃ  調整口
２５，２８，３５，３８    ストッパ
２６    第３の線状部材
３３    第２の線状部材
４０  バッグ
５０  ボンベ
５１  紐
１００  足
１１０Ａ  前見頃
１１０Ｂ  後見頃
１１１  前右見頃
１１２  前左見頃
１１３  ファスナー
１１９  フラップ
１２０  面ファスナー
【図１】
2006348458.tif 000003
【図２】
2006348458.tif 000004
【図３】
2006348458.tif 000005
【図４】
2006348458.tif 000006
【図５】
2006348458.tif 000007
【図６】
2006348458.tif 000008
【図７】
2006348458.tif 000009
【図８】
2006348458.tif 000010
【図９】
2006348458.tif 000011
【図１０】
2006348458.tif 000012
【図１１】
2006348458.tif 000013
【図１２】
2006348458.tif 000014